(57)【要約】【課題】男性用パンツに装着され、漏れ出た尿を吸収する共に、男性陰部の清潔性を維持でき、しかも突然の排尿衝動にも排尿可能状態に円滑に移行できる吸水袋を提供する。【解決手段】少なくとも前側部２と後側部３とによって形成される上面開口４１の袋部４を有し、後側部３が開口４１よりも上方に延出し、後側部３に陰茎を通すための挿通孔３３が形成され、袋部４の少なくもと一部が吸水性を有することを特徴とする。ここで、挿通孔３３は、開口４１の開口面と交叉するように形成された直線状の切込みであるのが好ましい。【選択図】図１
2014140613.tif 000002
【特許請求の範囲】
【請求項１】
男性用パンツに装着され、漏れ出た尿を吸収する吸水袋であって、
少なくとも前側部と後側部とによって形成される上面開口の袋部を有し、後側部が前記開口よりも上方に延出し、後側部に陰茎を通すための挿通孔が形成され、前記袋部の少なくもと一部が吸水性を有することを特徴とする吸水袋。
【請求項２】
前記挿通孔が、前記開口の開口面と交叉するように形成された直線状の切込みである請求項１記載の吸水袋。
【請求項３】
前記挿通孔が、前記開口の開口面と交叉するように形成された直線状の切込みの途中に円形孔が形成されたものである請求項１記載の吸水袋。
【請求項４】
前記挿通孔が卵形状又は雫形状であって、卵形状又は雫形状の長手方向が前記開口の開口面と交叉するように形成されたものである請求項１記載の吸水袋。
【請求項５】
前記前側部及び前記後側部の少なくとも一方が、布地と吸水性部材とを有するものからなる請求項１〜４のいずれかに記載の吸収袋。
【請求項６】
前記前側部が、吸水性部材からなる請求項１〜４のいずれかに記載の吸収袋。
【請求項７】
前記吸水性部材が、表面吸水層と、第１保水層と、防水透湿層とをこの順で積層した構造を有するものである請求項５又は６記載の吸収袋。
【請求項８】
前記吸水性部材が、防水透湿層の、第１保水層と反対側に第２保水層をさらに積層した構造を有するものである請求項７記載の吸収袋。
【請求項９】
漏れ出た尿を吸収するための吸水パッドを交換可能にさらに有する請求項１〜８のいずれかに記載の吸水袋。
【請求項１０】
請求項１〜９のいずれかに記載の吸水袋が、前側部がパンツ本体の内周面と対向するようにパンツ本体に取り付けられていることを特徴とする男性用パンツ。
【請求項１１】
前記吸水袋がパンツ本体に対して着脱自在である請求項１０記載の男性用パンツ。
【請求項１２】
前記パンツ本体が、前開き部を有するものである請求項１０又は１１記載の男性用パンツ。
【発明の詳細な説明】
【技術分野】
【０００１】
本発明は、吸水袋及びそれを備えた男性用パンツに関し、より詳細には、尿失禁によって漏れ出た尿や排尿後の残尿などを吸収する吸水袋及びそれを備えた男性用パンツに関するものである。
【背景技術】
【０００２】
尿失禁は、身体のちょっとした仕草、例えば、くしゃみ・咳・笑い等によって下腹部及び膀胱に圧力がかかった場合に起こることがある。また、加齢と共に生じやすくなる突然の排尿衝動によって起こることもある。さらには、前立腺手術や膀胱懸垂手術、骨盤手術等を受けた後に、周辺の筋力が衰えていることなどから比較的長期間にわたって起こることもある。
【０００３】
このような尿失禁を患う者の多くは当惑すると共に、罪悪、不安、羞恥、自尊心喪失などの感情を抱くようになる。そして、周囲の者に迷惑をかけないようにするため外出を控え自宅に引きこもるようになって社会生活や他人との交流から遠ざかって行くこともある。
【０００４】
また、排尿した後、パンツに陰茎を収めた後に残尿が漏れ出てパンツやズボンを汚すことは高齢者を含め広く経験するところである。
【０００５】
そこで、失禁による尿や排尿後の残尿を吸収して、衣類を汚さず、また本人及び周囲の者にも不快感を与えないようにするパンツがこれまでから種々提案されている。例えば、特許文献１では、パンツの前身頃の内周面にポケット部を設け、ここに吸水性部材を装着し、ポケット部に形成された孔部及び吸水性部材に形成された切込みに使用者の陰茎を挿通して漏れ出た尿を吸水性部材で吸収するパンツが提案されている。
【先行技術文献】
【特許文献】
【０００６】
【特許文献１】特開2006-328601号公報
【発明の概要】
【発明が解決しようとする課題】
【０００７】
しかしながら、上記提案のパンツでは、使用者が小用を達しようとする場合、吸水性部材及びポケット部から陰茎を引き抜いた後、パンツのウエスト部を引き下げで陰茎を露出しなければならない。前述のように、加齢と共に生じやすくなる突然の排尿衝動の場合、排尿できる状態にするまでに時間がかかると、状態が整う前に排尿してしまうおそれがある。
【０００８】
そこで、本発明は、このような従来の問題に鑑みて成されたものであり、その目的は、漏れ出た尿を吸収することができると共に、男性陰部の清潔性を維持でき、しかも突然の排尿衝動にも排尿可能状態に円滑に移行できる、男性用パンツに装着する吸水袋及び男性用パンツを提供することにある。
【課題を解決するための手段】
【０００９】
前記目的を達成する本発明に係る吸水袋は、男性用パンツに装着され、漏れ出た尿を吸収する吸水袋であって、少なくとも前側部と後側部とによって形成される上面開口の袋部を有し、後側部が前記開口よりも上方に延出し、後側部に陰茎を通すための挿通孔が形成され、前記袋部の少なくもと一部が吸水性を有することを特徴とする。
【００１０】
ここで、前記挿通孔は、前記開口の開口面と交叉するように形成された直線状の切込みであってもよい。あるいは、前記開口の開口面と交叉するように形成された直線状の切込みの途中に円形孔が形成されたものであってもよい。あるいはまた、卵形状又は雫形状であって、卵形状又は雫形状の長手方向が前記開口の開口面と交叉するように形成されたものであってもよい。
【００１１】
また、前記前側部及び前記後側部の少なくとも一方は、布地と吸水性部材とを有するものからなるのが好ましい。
【００１２】
また、前記前側部は吸水性部材からなるのが好ましい。
【００１３】
前記吸水性部材としては、表面吸水層と、第１保水層と、防水透湿層とをこの順で積層した構造を有するものが好ましい。また、防水透湿層の、第１保水層と反対側に第２保水層をさらに積層した構造としてもよい。
【００１４】
また、漏れ出た尿を吸収するための吸水パッドを交換可能にさらに有するようにしてもよい。
【００１５】
本発明によれば、前記のいずれかに記載の吸水袋が、前側部がパンツ本体の内周面と対向するようにパンツ本体に取り付けられていることを特徴とする男性用パンツが提供される。
【００１６】
ここで、前記吸水袋はパンツ本体に対して着脱自在であるのが好ましい。
【００１７】
また、前記パンツ本体は、前開き部を有するものであるのが好ましい。
【発明の効果】
【００１８】
本発明の吸収袋及び男性用パンツによれば、漏れ出た尿を吸収することができると共に、男性陰部の清潔性を維持でき、しかも突然の排尿衝動にも迅速に対応できる。
【００１９】
また、前記挿通孔を、前記開口の開口面と交叉するように形成された直線状の切込み、あるいは前記開口の開口面と交叉するように形成された直線状の切込みの途中に円形孔が形成された形状、あるいはまた卵形状又は雫形状であって、卵形状又は雫形状の長手方向が前記開口の開口面と交叉するように形成されたものにすると、吸水袋に挿入した陰茎を挿通孔で安定して保持できる。
【００２０】
さらに、前記前側部及び前記後側部の少なくとも一方を布地と吸水性部材とを有するものから構成すると、良好な肌触りと吸水性とが得られる。
【００２１】
また、前記前側部を吸水性部材で構成すると、厚みを薄くできると共に製造が容易化する。
【００２２】
前記吸水性部材として、表面吸水層と、第１保水層と、防水透湿層とをこの順で積層した構造を有するものを用いると、漏れ出た尿を迅速に吸収することができると共に、男性陰部の清潔性を一層維持できる。また、前記吸水性部材を、防水透湿層の、第１保水層と反対側に第２保水層をさらに積層した構造にすると、吸水袋の外に放出された尿も吸収することができ、より清潔性を保つことができる。
【００２３】
そしてまた、漏れ出た尿を吸収するための吸水パッドを交換可能に設けると、尿量が多い場合にも対応できる。また、吸収袋内を長期間にわたって清潔に保つことができるようにもなる。
【００２４】
前記吸水袋がパンツ本体に対して着脱自在であると、吸水袋が汚れた場合に吸水袋のみを取り外して洗濯できるようになる。また、通常は一般のパンツとして使用し、外出するときなど必要な場合にのみ吸水袋を装着することができるようになり、使用者の利便性が向上する。
【００２５】
前記パンツ本体が前開き部を有するものであると、前記の吸水袋との組み合わせにおいて、突然の排尿衝動に一層迅速に対応できるようになる。
【図面の簡単な説明】
【００２６】
【図１】本発明に係る吸水袋の一実施形態を示す斜視図である。
【図２】図１の吸水袋の側断面図である。
【図３】挿通孔の他の実施形態を示す吸水袋の背面図である。
【図４】挿通孔のさらに他の実施形態を示す吸水袋の背面図である。
【図５】吸水性部材の他の構造例を示す断面図である。
【図６】図１の吸水袋の展開図である。
【図７】吸水袋のパンツ本体への取付状態図である。
【図８】本発明に係るパンツを使用者が履いた状態図である。
【図９】パンツ本体の一例を示す正面図である。
【図１０】吸水パッドを交換可能に有する吸水袋の一例を示す斜視図である。
【発明を実施するための形態】
【００２７】
以下、本発明に係る吸水袋及び男性用パンツについて図に基づいて説明するが、本発明はこれらの実施形態に何ら限定されるものではない。
【００２８】
図１に、本発明に係る吸水袋の一実施形態を示す斜視図を示し、図２に、吸水袋の側断面図を示す。これらの図に示す吸水袋１は、前側部２と後側部３とによって形成される上面開口４１の袋部４を有し、後側部３が開口４１よりも上方に延出している。そして、後側部３の略中央部に開口４１の開口面と交叉するように直線状の挿通孔３３が形成されている。また、後側部３の、開口４１よりも上方に延出した部分の両側端部及び前側部２の外側の上下部分には、パンツ本体６（図７に図示）に対して着脱可能とするための面ファスナー５１ａ，５１ｂ，５２，５３が設けられている。なお、パンツ本体６側の対応する位置にも対となる面ファスナー６１ａ，６１ｂ，６２，６３（図７に図示）が設けられている。なお、挿通孔３３の形成位置と形状は、使用者の陰茎を袋部４に差し入れることができる範囲において特に限定はないが、陰茎を袋部４に確実に差し入れることができ、且つ、排尿可能状態に円滑に移行できるようにするためには、その形成位置は開口４１の開口面と交叉する位置が好ましい。また、陰茎を安定的に保持するためには、その形状は直線状の切込み３３の他、図３に示すような、前記開口の開口面と交叉するように形成された直線状の切込みの途中に円形孔３３ａが形成された形状としてもよい。あるいは、図４に示すような卵形状の挿通孔３４とし、挿通孔３４の長手方向が開口４１の開口面と交叉するように形成してもよい。その他、挿通孔の形状としては雫形状や楕円形状などとしてもよい。
【００２９】
図２に示すように、前側部２は、全体が布地２１と吸水性部材２２とが積層された構造を有する。また、後側部３は、全体が布地３１で構成され下方が布地３１と吸水性部材３２とが積層された構造を有する。そして、前側部２及び後側部３の吸水性部材２２，３２が袋部４の内側となるように前側部２と後側部３とが縫着されている。もちろん、袋部４の内周面全体を吸水性部材で覆われているようにしても構わない。また、吸水性部材のさらに内側にメッシュ状の布地を設けて、袋部４の内周面の肌触りを向上させるようにしても構わない。
【００３０】
本発明で使用する吸水性部材２２，３２としては、尿を吸収し外部に漏らさないものであれば特に限定はなく従来公知のものが使用できる。例えば、図２に示す吸水性部材２２，３２は、表面吸水層２２ａ、第１保水層２２ｂ、防水透湿層２２ｃの三層構造を有している。表面吸水層２２ａは、人の肌と直接接する部分であり、漏れ出た尿を素早く吸収して常にドライに保てるよう、液体透過性の高い材質によって構成される。第１保水層２２ｂは、表面吸水層２２ａを透過してきた尿を内部に保持して逃さないよう、高い保水性能を発揮し得る材質によって構成される。防水透湿層２２ｃは、尿を遮断すると共に、尿の湿気を透過可能な材質によって構成される。
【００３１】
このような構造の吸水性部材２２，３２によれば、尿が漏れ出ても表面吸水層２２ａを介して素早く第１保水層２２ｂに溜められるため、陰茎を常にドライな状態に維持することができる。また、防水透湿層２２ｃによって保水層２２ｂ内の尿が袋部４外に滲み出ることが防止されるため、男性陰部が不潔になるおそれがない。さらに、尿の湿気を外部に逃がすことができるため、袋部４内が蒸れることが防止される。
【００３２】
あるいはまた、図５に示すように、防水透湿層２２ｃの外側に第２保水層２２ｄをさらに設けて、吸水袋の外に放出された尿を吸収袋で積極的に吸収するようにしてもよい。これによりパンツ本体やズボンを尿で汚すことが抑制される。この場合、第２保水層２２ｄの外側に布地２１を設けず、前側部２を吸水性部材２２のみで構成するようにしてもよい。
【００３３】
本発明の吸水袋１の作製方法に特に限定はなく、前側部２と後側部３とを別々に作製して、前側部２の両側辺と下辺とを後側部３に縫着して作製してもよいし、あるいは、図６に示すような形状に生地を裁断して底辺部分（図６で破線で示す）で折り曲げて前側部２の両側辺を後側部３に縫製して作製してもよい。
【００３４】
このような構造の吸水袋１は男性用のパンツ本体６に取り付けられる。図７に、吸水袋１のパンツ本体６への取付状態図を示す。吸水袋１の前側部２及び後側部３に設けられた面ファスナー５１ａ，５１ｂ，５２，５３を、パンツ本体６側の対応する位置に設けられた、対となる面ファスナー６１ａ，６１ｂ，６２，６３と係合させて、吸水袋１をパンツ本体６に取り付ける。面ファスナーによる取付によって吸水袋１はパンツ本体６に対して着脱自在となる。なお、吸水袋１をパンツ本体６に対して着脱自在に取り付ける部材としては、面ファスナーの他、磁石やスナップボタン、ボタンなど従来公知の取付部材を用いることができる。もちろん、縫着等によって吸水袋１をパンツ本体６に固定的に取り付けてもよいが、吸水袋１が汚れた場合に吸水袋１のみを取り外して洗濯したり、外出するときなど必要な場合にのみ吸水袋１を装着するといった使用者の利便性を向上させる観点からは、吸水袋１はパンツ本体６に着脱自在に取り付けるのが望ましい。
【００３５】
吸水袋１のパンツ本体６への取付位置を調整可能とする観点からは、面ファスナー６１ａ，６１ｂ，６２，６３は、パンツ本体６に対して所望の位置に容易に取り付け可能とするのが好ましい。そのためには、例えば、面ファスナー６１ａ，６１ｂ，６２，６３に接着層を設けてパンツ本体６に仮止めした後、アイロン等によって加熱して面ファスナー６１ａ，６１ｂ，６２，６３を溶融固着できるようにしてもよい。このような面ファスナーとしては、例えばクラレファスニング株式会社製の「エコマジック（登録商標）」が好適に使用される。あるいは、面ファスナー６１ａ，６１ｂ，６２，６３を、面ファスナー５１ａ，５１ｂ，５２，５３に比べて面積の大きなものとして、吸水袋１のパンツ本体６への取付位置を調整できるようにしてもよい。
【００３６】
図８に、パンツ本体６に吸水袋１を取り付けたパンツを使用者が履いた状態図を示す。使用者は、吸水袋１の挿通孔３３から陰茎を袋部４に差し入れる。前述のように、袋部４には吸水性部材２２，３２が設けられているので、陰茎から漏れ出た尿は吸水性部材２２，３２で吸収される。これにより、本人及び周囲の者に不快感を与えることがない。また、陰茎が下腹部や内股に直接接触することがないので、男性陰部の清潔性を維持できる。さらに、陰茎を袋部４から引き出せば排尿可能状態に円滑に移行でき、突然の排尿衝動にも迅速に対応できる。
【００３７】
本発明で用いるパンツ本体６に特に限定はなく、ボクサーパンツ型やトランクス型、ブリーフ型など従来公知のものが使用できる。また、パンツ本体６の素材は伸縮性を有するものや綿生地など従来公知の素材を用いることができる。なお、パンツ本体６が、図９に示すような前開き部６４のあるものであると、本発明の吸水袋１との組み合わせにおいて排尿可能状態により迅速に移行しやすくなる。
【００３８】
また、図１０に示すように、本発明に係る吸水袋１は、漏れ出た尿を吸収する吸収パッド７を交換可能に有していてもよい。吸水パッド７を袋部４に装着することによって、尿量が多い場合にも対応できる。また、袋部４内を長期間にわたって清潔に保つことができる。使用した吸収パッド７は袋部４から取り出し、新しい吸収パッドと交換する。吸収パッド７の大きさや形状に特に限定はなく、袋部４の形状等を考慮して適宜決定すればよい。
【産業上の利用可能性】
【００３９】
本発明の吸収袋及び男性用パンツによれば、漏れ出た尿を吸収することができると共に、男性陰部の清潔性を維持でき、しかも突然の排尿衝動にも迅速に対応でき有用である。
【符号の説明】
【００４０】
１    吸水袋
２    前側部
３    後側部
４    袋部
６    パンツ本体
７    吸水パッド
２１    布地
２２    吸水性部材
２２ａ    表面吸水層
２２ｂ    第１保水層
２２ｃ    防水透湿層
２２ｄ    第２保水層
３１    布地
３２    吸水性部材
３３    挿通孔（切込み）
３３ａ    円形孔
３４    挿通孔
４１    開口
５１ａ，５１ｂ，５２，５３    面ファスナー
６１ａ，６１ｂ，６２，６３    面ファスナー
６４    前開き部
【図１】
2014140613.tif 000003
【図２】
2014140613.tif 000004
【図３】
2014140613.tif 000005
【図４】
2014140613.tif 000006
【図５】
2014140613.tif 000007
【図６】
2014140613.tif 000008
【図７】
2014140613.tif 000009
【図８】
2014140613.tif 000010
【図９】
2014140613.tif 000011
【図１０】
2014140613.tif 000012